(57)【特許請求の範囲】
【請求項１】
背もたれ又は座が、合成樹脂製のシェル体と、前記シェル体の表面に張ったクッション材と、前記クッション材の表面を覆う表皮材とを備えた構成となっており、前記シェル体にその裏側に向けて折り返された折り返し部を形成して、シェル体の折り返し部の裏側に表皮材を回り込ませている椅子であって、
前記シェル体を折り返すための折り目部でかつ縁部に、当該折り目部の縁部をシェル体の表面部と折り返し部とで囲われた内側に向けて変形し易くする変形容易化手段を形成している、
椅子。
【発明の詳細な説明】
【０００１】
【発明の属する技術分野】
本発明は、椅子に関するものである。
【０００２】
【従来の技術・発明が解決しようとする課題】
椅子の背部及び座部とも、一般に、表面にクッション材及び表皮材（張地）を張った合成樹脂製のインナーシェルを備えており、このインナーシェルはほぼ四角形に形成されている。
【０００３】
そして、インナーシェルの側部を折り返して、インナーシェルの側縁部でアウターシェルの側縁を前後から挟み込むことにより、インナーシェル及びクッション材をアウターシェルに取付けることが行われており、このように構成すると、インナーシェル及びクッション材の取付けが簡単であると共に、デザイン的にも優れたものとなる。
【０００４】
しかし、インナーシェルを折り返すとコーナー部は角張った形状となるため、人の背中がコーナー部に当たると不快感を与える虞があり、また、人が背もたれに凭れ掛かると、インナーシェルのコーナー部で表皮材を突っ張った状態になるため、表皮材が破れ易くなるという問題があった。
【０００５】
この点については、クッション材でインナーシェルのコーナー部を包み込めば良いと考えられるが、かくすると、インナーシェルの外側にクッション材が大きくはみ出るため、クッション材の外形を定め難いばかりか、体裁も良くなく、更に、クッション材がへたり易いという問題が生じる。
【０００６】
本発明は、このような現状を改善することを目的とするものである。
【０００７】
【課題を解決するための手段】
本発明は、背もたれ又は座が、合成樹脂製のシェル体と、前記シェル体の表面に張ったクッション材と、前記クッション材の表面を覆う表皮材とを備えた構成となっており、前記シェル体にその裏側に向けて折り返された折り返し部を形成して、シェル体の折り返し部の裏側に表皮材を回り込ませている椅子において、前記シェル体を折り返すための折り目部でかつ縁部に、当該折り目部の縁部をシェル体の表面部と折り返し部とで囲われた内側に向けて変形し易くする変形容易化手段を形成したものである。
【０００８】
変形容易化手段としては、スリットや穴を形成して強度を低下させることの他に、シェル体の縁部を薄肉化することなども採用できる。
【０００９】
【発明の作用・効果】
本発明によると、シェル体における折り返し部の折り目部の縁部が角張っていても、当該縁部を容易に変形させることができるため、人の身体がシェル体の縁部に当たっても人に不快感を与えることはない。
【００１０】
また、人の体圧によって表皮材に張力が折り目部に作用しても、その張力は折り目部の縁部の変形によって緩和されるため、表皮材のうち折り目部の縁部に引っ張り力が集中的に作用することはなく、その結果、表皮材の耐久性を向上させることができる。
【００１１】
【００１２】
【発明の実施形態】
次に、本発明を椅子の背もたれに適用した実施形態を図面に基づいて説明する。
【００１３】
(1).第1 実施形態
図１〜図１０では第1 実施形態を示しており、このうち図１は椅子の側面図、図２は部分正面図である。
【００１４】
これらの図に示すように、椅子は、脚１と、脚１の状態に設けた座受け体２と、座受け体２に後退動及び後傾動自在に取付けた座部３と、座受け体２に後傾動自在に取付けられた揺動体４ａ，４ｂと、この揺動体４ａ，４ｂに取付けた背もたれ５とを備えている。揺動体４ａ，４ｂは、座受け体２に取り付いた第１部分４ａと、これに取付けた丸棒製の第２部分４ｂとから成っている。
【００１５】
次に、図３以下の図に基づいて背もたれ５を説明する。図３及び図４は背もたれ５を構成するアウターシェル６の斜視図、図５は背もたれ５を構成するインナーシェル７の斜視図で、（Ａ）は前方から見た図、（Ｂ）は裏側から見た図であり、図６は一部を仮想線で示した背もたれ５の正面図、図７は図６の VII-VII視断面図、図８は図６のVIII−VIII視断面図、図９のうち（Ａ）は図６の IXA-IXA視断面図、（Ｂ）は図６の IXB-IXB視断面図、図１０は要部斜視図である。
【００１６】
アウターシェル６は、揺動体の第２部分４ａに嵌め込み装着されており、全体として平面視で前向き凹状に形成されている。そして、アウターシェル６の左右両側部に、前向きに開口した上下３個の第１凹所８と、後ろ向きに開口した上下２個の第２凹所９とが形成されており、第１凹所８の底板には第１係合穴１０を形成し、第２凹所９の底板には第２係合穴１１を形成している。
【００１７】
他方、インナーシェル７は、その左右両側部７ａを裏側に折り返して（従って、左右側部７ａが折り返し部になっている）、アウターシェル６の側部を前後から挟むように構成しており、このため、インナーシェル７は図５に示す展開状態でアウターシェル６よりも幅広の寸法になっている。図５（Ｂ）に符号１２で折り目線を示している。また、折り返した状態での形状を規定するため、上下両端には規制片１３を設けている。
【００１８】
図５及び図９に示すように、インナーシェル７の裏面のうち折り目線１２よりも外側の側縁部には、当該側縁部を折り返すことによってアウターシェル６の第１係合穴１０に嵌まり係合する鉤状の第１係合爪１４を設け、インナーシェル７の裏面のうち折り目線１２よりも内側の部位には、アウターシェル６の第２係合穴１１に嵌まり係合する鉤状の第２係合爪１５を設けている。
【００１９】
そして、インナーシェル７の表面にクッション材１６と表皮材（クロス）１７とを張っておき、表皮材１７をインナーシェル７の縁まで回り込ませた状態で、インナーシェル７をアウターシェル６に前方から重ね合わせて、第２係合爪１５を第１係合穴１０に弾性に抗して嵌め込み、次いで、インナーシェル７の側部７ａを折り返して第２係合爪１５を第２係合穴１１に弾性に抗して嵌め入れることにより、クッション１６付きのインナーシェル７をアウターシェル６に取り付けることができる。
【００２０】
表皮材１７の周縁部は接着等によってインナーシェル７に固定されている。また、図８に示すように、表皮材１７の上下両縁部はインナーシェル７の内側に向けて延ばされており、接着剤によって固定されている。
【００２１】
そして、図５及び図１０に示すように、インナーシェル７の上端縁のうち折り目１２の周辺部、換言すると、折り返し後にコーナー部１８となる箇所に、変形容易化手段の一例として左右長手のスリット１９を形成している。
【００２２】
このスリット１９を形成したことにより、折り返した後のインナーシェル７のコーナー部１８は強度が低下して容易に変形するため、人の背中が当たっても不快感を与えることはない。また、人が背もたれ５にもたれ掛かると表皮材１７が引っ張られてコーナー部１８に張力が作用するが、コーナー部１８は容易に変形するため、コーナー部１８の箇所で表皮材１７に引っ張り力が集中することが緩和され、その結果、表皮材１７の耐久性を向上できる。
【００２３】
【００２４】
≪その他≫
上記の実施形態は背もたれのインナーシェルに適用した場合であったが、本願発明は座にも適用することができる。
【００２５】
【図面の簡単な説明】
【図１】椅子の側面図である。
【図２】椅子の部分正面図である。
【図３】背もたれ用アウターシェルを正面方向から見た斜視図である。
【図４】背もたれ用アウターシェルを正面方向から見た斜視図である。
【図５】 (A)は展開状態でのインナーシェルを前方から見た斜視図、 (B)は展開状態でのインナーシェルを裏側から見た斜視図である。
【図６】  クッション材とインナーシェルとを仮想線で表示した状態での背もたれの正面図である。
【図７】図６の VII-VII視断面図である。
【図８】図６のVIII−VIII視断面図である。
【図９】（Ａ）は図６の IXA-IXA視断面図、（Ｂ）は図６の IXB-IXB視断面図である。
【図10】要部の斜視図である。
【符号の説明】
５  背もたれ
６  アウターシェル
７  インナーシェル
７ａ  インナーシェルの側部（折り返し部）
１０，１１  係合穴
１４，１５  係合爪
１２  折り目線
１６  クッション材
１７  表皮材
【図１】
0003801829.tif 000002
【図２】
0003801829.tif 000003
【図３】
0003801829.tif 000004
【図４】
0003801829.tif 000005
【図５】
0003801829.tif 000006
【図６】
0003801829.tif 000007
【図７】
0003801829.tif 000008
【図８】
0003801829.tif 000009
【図９】
0003801829.tif 000010
【図１０】
0003801829.tif 000011